(57)【特許請求の範囲】
【請求項１】
互いに相異なる複数の方向へと向かって出射光を選択的に出射する光走査素子であって、
支持基板、
電気光学効果を有する単結晶からなり、前記支持基板に対して直接またはクラッド層を介して一体化されている光導波路、
前記光導波路内に形成された複数の周期分極反転部であって，互いに異なる周期を有する周期分極反転部、
複数の前記周期分極反転部に対してそれぞれ電圧を印加し、前記周期分極反転部に回折格子を生成させるための複数の電極、および
前記光導波路と前記電極との間に設けられた側面クラッドを備えており、
前記クラッド層および前記側面クラッドが、それぞれ、前記光導波路を構成する前記単結晶の屈折率よりも低い屈折率を有する材質からなり、前記電圧を印加する前記周期分極反転部を選択することによって、選択した前記周期分極反転部に前記回折格子を生じさせ、前記光導波路に伝搬光を伝搬させ、前記伝搬光を回折光として前記光走査素子の外に出射させることを特徴とする、光走査素子。
【請求項２】
前記光導波路が前記支持基板に対して前記クラッド層を介して一体化されていることを特徴とする、請求項１記載の素子。
【請求項３】
前記光導波路の厚みをＴｓｕｂとし、前記光導波路の伝搬光の波長をλとしたとき、Ｔｓｕｂ／λが０．６以上、５０以下であることを特徴とする、請求項１または２記載の素子。
【請求項４】
前記単結晶の分極方向が前記光導波路の伝搬方向に垂直であり、前記単結晶の分極方向が前記光導波路の表面の法線方向に対し８０°以上、１００°以下の角度をなしており、前記電極が前記側面クラッドの外側に形成されていることを特徴とする、請求項１〜３のいずれか一つの請求項に記載の素子。
【請求項５】
前記回折光が一次回折光であることを特徴とする、請求項１〜４のいずれか一つの請求項に記載の素子。
【請求項６】
前記回折光が高次回折光であることを特徴とする、請求項１〜４のいずれか一つの請求項に記載の素子。
【請求項７】
前記回折光として、複数の相異なる次数の回折光を放射させることを特徴とする、請求項１〜４のいずれか一つの請求項に記載の素子。
【請求項８】
請求項１〜７のいずれか一つの請求項に記載の光走査素子を用いて被測定面を走査する方法であって、
前記光走査素子から出射した前記出射光を前記被測定面に照射し、前記被測定面からの反射光を用いて前記被測定面に関するデータを得ることを特徴とする、光走査方法。
【請求項９】
前記光走査素子を前記光走査素子の長手方向に向かって移動させながら前記被測定面を走査することを特徴とする、請求項８記載の方法。
【発明の詳細な説明】
【技術分野】
【０００１】
本発明は、複数の相異なる方向へと光を出射して情報を得るための、光走査素子に関するものである。
【背景技術】
【０００２】
マルチメディアやデジタルサイネージの進展により、高精細、高画質、大画面のディスプレイやプロジェクタの需要が高くなっており、レーザ光を広角に走査する光走査素子の開発が活発化している。最近では、光走査素子は、レーザレーダ、レーザスキャナ、ＬＩＤＡＲ（Light Detection and Ranging）．として使用でき、自動車の自動運転制御用や、ロボット、ドローンの位置制御用の障害物検知システム、測距システムへの適用が検討されている。【０００３】
これらの光走査（スキャニング）の機構は、ポリゴンミラー方式やＭＥＭＳミラー方式といった、メカニカルな方式が主流となっている。【０００４】
特許文献１、２は、モーター駆動のミラーにレーザ光を走査するメカニカルな方式である。モーター駆動のミラーを回転させ、レーザ光を走査する。物体からの反射光を受光素子で検出し、時間遅れから物体との距離や位置を割り出している。ミラーとしては、平面ミラーや多角形形状のポリゴンミラーが使用されている。【０００５】
特許文献３は、ＭＥＭＳミラーを使用したメカニカルな方式である。ＭＥＭＳの構造は、シリコン上に、半導体プロセスを利用して、２軸の自由度を持つ梁によって可動部を形成しており、可動部の表面に反射率の高い金属反射膜を形成して、ミラーとしている。稼働部の周囲に永久磁石を配置し、可動部のコイルに電流を流すことによりローレンツ力を発生させ、出射方向を制御する。【０００６】
特許文献４に記載された受光素子分割方式では、稼働部を必要としない。これは、レーザ光をレンズで広げることで広角にし、その反射光を、分割した受光素子で検知することにより、被測定面体の検知を実現している。しかし、分割数を多くすると、１つの受光素子に入射する反射光量が小さくなるために、信号ノイズ（Ｓ／Ｎ）比が悪くなってしまう。この場合、受光量を大きくするために光源のパワーを大きくするという考え方もあるが、光源のハイパワー化によって光源のコストが高くなるし、アイセーフの問題も生ずる。【０００７】
一方、本発明者は、ニオブ酸リチウムやタンタル酸リチウム基板を利用し、基板に複数のプリズム状の分極反転部を形成し、さらに基板を薄片化し、電極形成することで、光スイッチング素子を提案した。しかし、これは電気光学効果による出射光の方向変位が１０°以下であり、広角にスキャンするための光走査素子ではない。【０００８】
また、電気光学効果を利用した素子の場合、プリズムに電極を形成したものがよく知られている（非特許文献１）。【０００９】
しかし、ニオブ酸リチウムなどの電気光学結晶を利用したプリズム偏向素子は、電気光学効果による屈折率変化が比較的に小さい。たとえば、ニオブ酸リチウムの場合、屈折率変化△ｎ＝0.001を得るためには、4.5kV／mm程度の大きな電界を結晶に印加する必要がある。【００１０】
このため駆動電圧を低減するため、ニオブ酸リチウム基板の厚みを薄くする構造が特許文献６に開示されている。【００１１】
特許文献７は、分極反転を応用したスイッチング素子の例であり、スラブ型光導波路と分極反転部と分極反転部上部に形成した電極から構成される。この場合、１つの分極反転部はスラブ導波路の進行側に沿って形成されており、スラブ導波路の進行方向と垂直の方向に周期的に構成される。スラブ導波路は、電圧印加により分極反転部が周期的な屈折率構造となるために、回折格子として機能する。その回折効果によって光が偏向することを利用している。この場合、偏向角は２−３°である。
【先行技術文献】
【非特許文献】
【００１２】
【非特許文献１】Scrymgeour, D.A.,”Large-angle electro-optic laserscanner on LiTaO3 fabricated by in situ monitoring of ferroelectric-domainmicropatterning, Appl. Opt., 40-34, (2001)
【特許文献】
【００１３】
【特許文献１】特許5802659
【特許文献２】特開2013-148446
【特許文献３】特開2013-003253
【特許文献４】特許5683629
【特許文献５】特開2013-195687
【特許文献６】特開2011-48067
【特許文献７】特許5793308
【発明の概要】
【発明が解決しようとする課題】
【００１４】
従来の光走査素子は、可動部が必要であったり、あるいは受光素子での信号／雑音比が大きくなるという問題がある。また、プリズム形状の分極反転部を利用した光スイッチング素子は知られているが、これは伝搬光の向きを１０°以下程度偏向させるものであり、レーザスキャナとして適当なものではない。【００１５】
本発明の課題は、可動部が不要で、かつ広角に走査できる光走査素子を提供することである。
【課題を解決するための手段】
【００１６】
本発明は、
互いに相異なる複数の方向へと向かって出射光を選択的に出射する光走査素子であって、
支持基板、
電気光学効果を有する単結晶からなり、前記支持基板に対して直接またはクラッド層を介して一体化されている光導波路、
前記光導波路内に形成された複数の周期分極反転部であって，互いに異なる周期を有する周期分極反転部、
複数の前記周期分極反転部に対してそれぞれ電圧を印加し、前記周期分極反転部に回折格子を生成させるための複数の電極、および
前記光導波路と前記電極との間に設けられた側面クラッドを備えており、
前記クラッド層および前記側面クラッドが、それぞれ、前記光導波路を構成する前記単結晶の屈折率よりも低い屈折率を有する材質からなり、前記電圧を印加する前記周期分極反転部を選択することによって、選択した前記周期分極反転部に前記回折格子を生じさせ、前記光導波路に伝搬光を伝搬させ、前記伝搬光を回折光として前記光走査素子の外に出射させることを特徴とする。【００１７】
また、本発明は、前記光走査素子を用いて被測定面を走査する方法であって、
前記光走査素子から出射した前記出射光を前記被測定面に照射し、前記被測定面からの反射光を用いて前記被測定面に関するデータを得ることを特徴とする、光走査方法に係るものである。
【発明の効果】
【００１８】
本発明によれば、光導波路中に周期の異なる複数の周期分極反転部を設け、電圧を印加する周期分極反転部を選択することによって、選択した周期分極反転部に回折格子を生じさせ、光導波路を伝搬する伝搬光を回折格子によって、光走査素子の外に放射させる。これによって、異なる周期の回折格子からは異なる方向へと向かって出射光が出射するので、可動部なしに出射光を複数の所定方向へと向かって出射させ、走査することができる。
これによって、例えば、光を走査することによりそれぞれ入射した光が物体から反射して戻ってきた光を受光するまでの時間を測定することによって、３次元情報を得ることが可能となり、障害物を検知することができる。
【図面の簡単な説明】
【００１９】
【図１】本発明の実施形態に係る光走査素子１を示す模式図である。
【図２】他の実施形態に係る光走査素子１Ａを示す模式図である。
【図３】周期分極反転部から出射する出射光のビームを示す模式図である。
【図４】ブラッググレーティングカプラにおける入射光と放射光との関係を示す模式図である。
【図５】光走査素子からの出射光を反射させ、分割された受光素子２５によって受光する状態を示す。
【図６】光走査素子をＸ方向およびＹ方向に向かって動かしながら被測定面を走査し、分割された受光素子で受光する状態を示す。
【図７】本発明の光走査素子を用いて対象面を走査する状態を示す。
【図８】分極反転周期と出射光の放射角度との関係を示すグラフである。
【図９】分極反転周期と出射光の放射角度との関係を示すグラフである。
【図１０】（ａ）、（ｂ）、（ｃ）は、それぞれ、各光走査素子の断面構造を模式的に示す横断面図である。
【図１１】（ａ）、（ｂ）、（ｃ）は、それぞれ、各光走査素子の断面構造を模式的に示す横断面図である。
【図１２】（ａ）、（ｂ）は、それぞれ、各光走査素子の断面構造を模式的に示す横断面図である。
【図１３】本発明の光走査素子を用いて対象面を走査する状態を示す。
【図１４】一次回折光および高次回折光を用いた場合の分極反転ピッチと放射角度との関係を示すグラフである。
【図１５】一次回折光および高次回折光を用いた場合の分極反転ピッチと放射角度との関係を示すグラフである。
【発明を実施するための形態】
【００２０】
図１は、本発明の実施形態に係る光走査素子１を模式的に示す斜視図である。
本例では、支持基板２上にクラッド層３を介して、単結晶からなるスラブ型光導波路４が設けられている。光導波路４上にも、図示しない上側クラッド層を設けることができる。光導波路４には、光の入射面４ａと、入射面４ａに対向する対向面４ｂとが設けられている。また、光導波路４には、所定個数の周期分極反転部６Ａ、６Ｂ、６Ｃ、６Ｄが設けられており、各周期分極反転部の分極反転面は入射面４ａに対して略平行に延びている。各周期分極反転部の各周期は互いに異なるものとする。
【００２１】
また、素子１の側面５には、側面クラッド層４０を介して、各周期分極反転部６Ａ〜６Ｄに対応する各電極が形成されている。すなわち、周期分極反転部６Ａの両側には電極７Ａと８Ａとが設けられており、周期分極反転部６Ｂの両側には電極７Ｂと８Ｂとが設けられており、周期分極反転部６Ｃの両側には電極７Ｃと８Ｃとが設けられており、周期分極反転部６Ｄの両側には電極７Ｄと８Ｄとが設けられている。そして、各電極７Ａ、７Ｂ、７Ｃ、７Ｄはそれぞれ電源Ｖ１、Ｖ２、Ｖ３、Ｖ４が接続されており、各電極８Ａ、８Ｂ、８Ｃ、８Ｄはそれぞれアースされている。
【００２２】
動作時には、光導波路の入射面４ａから光を入射させる。この光は、光導波路４内を伝搬し、対向面４ｂから出射する。すなわち、光導波路がスラブ型光導波路として機能する。しかし、ここで複数の周期分極反転部のうち一つまたは複数に電圧を印加すると、電圧印加した周期分極反転部は交互に逆方向の電界がかかり、電界強度に応じて屈折率が変化する。このように屈折率の異なる部分が交互に一定周期で存在すると、回折格子として作用する。一方、電圧が印加されていない周期分極反転部では屈折率差が生じないか、あるいは屈折率差が小さいので、回折格子は生成しない。
【００２３】
この結果、光導波路内を伝搬する伝搬光は、電圧の印加されていない周期分極反転部内はそのまま伝搬し、電圧が印加されている周期分極反転部を通過するときには、後述するように回折格子の作用によって、回折光が素子外に放射される。
【００２４】
例えば、図１の例においては、電圧が周期分極反転部６Ａに印加されているときには、回折光が出射光として矢印Ａのように放射され、電圧が周期分極反転部６Ｂに印加されているときには、回折光は矢印Ｂのように放射され、電圧が周期分極反転部６Ｃに印加されているときには、回折光が矢印Ｃのように放射され、電圧が周期分極反転部６Ｄに印加されているときには、回折光が矢印Ｄのように放射される。そして、各放射光Ａ〜Ｄの放射角度は、各周期分極反転部の周期に応じて決定されるので、互いに異なる。
【００２５】
好適な実施形態においては、光導波路に、光を伝搬するリッジ型光導波路を設け、入射光を伝搬させる。
すなわち、図２の実施形態においては、支持基板２上にクラッド層３を介して単結晶層１０が設けられている。単結晶層１０上にも、図示しない上側クラッド層を設けることができる。単結晶層１０にはリッジ型光導波路１４が形成されており、光導波路１４の両側は平坦面になっている。光導波路１４には、光の入射面１４ａと、入射面１４ａに対向する対向面１４ｂとが設けられている。
【００２６】
また、光導波路１４には、所定個数の周期分極反転部１６Ａ、１６Ｂ、１６Ｃ、１６Ｄが設けられており、各周期分極反転部の分極反転面は入射面１４ａに対して略平行に延びている。各周期分極反転部の各周期は互いに異なるものとする。
【００２７】
そして、リッジ型光導波路１４の側面には、各周期分極反転部１６Ａ〜１６Ｄに対応する各電極が形成されている。すなわち、周期分極反転部１６Ａの両側には電極１７Ａと１８Ａとが設けられており、周期分極反転部１６Ｂの両側には電極１７Ｂと１８Ｂとが設けられており、周期分極反転部１６Ｃの両側には電極１７Ｃと１８Ｃとが設けられており、周期分極反転部１６Ｄの両側には電極１７Ｄと１８Ｄとが設けられている。そして、各電極１７Ａ、１７Ｂ、１７Ｃ、１７Ｄはそれぞれ電源Ｖ１、Ｖ２、Ｖ３、Ｖ４が接続されており、各電極１８Ａ、１８Ｂ、１８Ｃ、１８Ｄはそれぞれアースされている。好ましくは、各電極は、単結晶層１０の平坦な上面まで延設されている。なお、４０は側面クラッド層である。
【００２８】
動作時には、光導波路１４の入射面１４ａから光を入射させる。この光は、光導波路１４ａ内を伝搬し、対向面１４ｂから出射する。しかし、ここで複数の周期分極反転部のうち一つまたは複数に電圧を印加すると、その周期分極反転部は、前述のように電圧に応じて交互に一定周期で屈折率が変化して回折格子として作用する。一方、電圧が印加されていない周期分極反転部では、分極反転部と非分極反転部との間で屈折率差が生じないか、あるいは、屈折率差が小さいので、回折格子は生成しない。
ここで周期分極反転部に印加する電圧は好ましくは直流電圧である。
【００２９】
この結果、光導波路１４内を伝搬する伝搬光は、電圧の印加されていない周期分極反転部内はそのまま伝搬し、電圧が印加されている周期分極反転部を通過するときには、後述するように回折格子の作用によって、回折光が素子外に放射される。
【００３０】
例えば、図２の例においては、電圧が周期分極反転部１６Ａ、１６Ｂ、１６Ｃ、１６Ｄにそれぞれ印加されているときには、伝搬光が矢印Ａ、Ｂ、Ｃ、Ｄのようにそれぞれ放射される。そして、各出射光Ａ〜Ｄの放射角度は、各周期分極反転部の周期に応じて決定されるので、互いに異なる。
【００３１】
図３は、各周期分極反転部から放射される出射光ビームの広がり方を説明するための模式図である。電源Ｖから電圧が周期分極反転部１６に印加されると、周期分極反転部が回折格子を構成し、所定方向に向かって出射光が放射される。ここで、素子の長手方向をＬとし、分極反転面と平行かつ光導波路の幅方向に平行な方向をＷとする。この結果、出射光は、Ｆに示すように、周期分極反転部からは広い範囲に向かって出射光が放射されることになる。一方、光導波路の上面に対する放射光の角度（放射角度）θは、周期分極反転部によって異なる。これによって、複数の周期分極反転部に対して順次電圧を印加することによって、放射角度θを順次変化させることができる。なお、１７、１８は電極である。
【００３２】
本発明では、周期分極反転部に電圧を印加することで回折格子を生成させ、この回折格子によって、光導波路を伝搬する光の進行方向を変更し、光導波路コアから出射光を外部へと放射する。このグレーティングカプラの原理について説明する。
【００３３】
図４に示すように、光導波路４、１４に入射した入射光は、例えば、長手方向Ｌ方向に伝搬定数βｏで伝搬する。ブラッググレーティングにおいて、周期構造のピッチをΛとした場合、下式（１）の位相条件を満足する伝搬定数の光が伝搬する。
βｑ＝βｏ＋ｑＫ  （ｑ＝０、±１、±２、・・・）・・・・・・（１）
ここで、βｏはグレーティングがない場合の導波路中の導波モードの伝搬定数である。Ｋ＝２π／Λである。
【００３４】
｜βｑ｜＜ｎａ・ｋ、または
｜βｑ｜＜ｎｓ・ｋ
を満たす次数ｑがある場合、光導波路の上側と支持基板側との両方に矢印Ａのように放射する。
ここで、ｎａ、ｎｓはそれぞれ光り導波路コアの上側クラッド２０、下側クラッド３の屈折率を示す。またｋは波数を示す。
【００３５】
このときの法線Ｚに対する放射角度θａ、θｓは、下式（２）で決められる。
ｎａ・ｋ・ｓｉｎθａ＝ｎｓ・ｋ・ｓｉｎθｓ＝βｑ  ・・・・（２）
【００３６】
（１）式は、更に（３）式で表すことができる。実際に成立する条件は、ｑ≦−１の場合である。そして、一次回折光はｑ＝−１のときに算出される放射角度θａ、θｓで導波路外部に放射されることになる。
【００３７】
【数１】
0006793194.tif 000002
【００３８】
上記から放射角度は波長により異なることがわかる。ゆえに、周期分極反転部の周期を変化させることによって、各周期分極反転部から放射される出射光の放射角度θを変化させることができる。
【００３９】
また、式（１）、（３）は、ｑ≦−１の場合に成立する。このため、伝搬光の一部は、高次回折光としても出射するので、高次回折光を利用することもできる。ここで、高次回折光とは、二次以上の回折光を意味する。
【００４０】
例えば、二次回折光はｑ＝−２のときに算出される放射角度θａ、θｓで導波路外部に放射され、三次回折光はｑ＝−３のときに算出される放射角度θａ、θｓで導波路外部に放射され、四次回折光はｑ＝−４のときに算出される放射角度θａ、θｓで導波路外部に放射される。そして、回折光の次数が変わると、放射角度が変化するので、少ない分極反転部で広い放射角をカバーすることができるという利点がある。
【００４１】
ただし、回折光の次数が大きくなると、回折光の強度は弱くなるので、遠くまで光が伝搬できずに検出可能な距離が短くなったり、または、近距離であっても被測定物からの反射光の強度が小さく信号／雑音比（ＳＮ比）が小さくなったりするという問題がおこる。この観点からは、回折光の次数は、八次以下が好ましく、四次以下が更に好ましい。
【００４２】
好適な実施形態においては、例えば図１、図２に示すように、単結晶の分極方向Ｐが光導波路の伝搬方向Ｉに垂直であり、単結晶の分極方向Ｐが光導波路４、１４の表面４ｃ、１４ｃの法線方向Ｎに対して８０°以上、１００°以下の角度αをなしており、電極７Ａ〜７Ｄ、８Ａ〜８Ｄ、１７Ａ〜１７Ｄ、１８Ａ〜１８Ｄが側面クラッド４０の外側に形成されている。こうした構成によって、特に各周期分極反転部に対する電圧の印加効率が高く、かつ分極反転部と非分極反転部との屈折率差を大きくして回折格子の効率を向上させることができる。
【００４３】
以下、本発明の構成要素について更に述べる。
光導波路を構成する単結晶は、ニオブ酸リチウム、タンタル酸リチウム、ニオブ酸リチウム−タンタル酸リチウム、ＫＴＰ（KTiOPO4）、ＫＴＮ（KTa(1-x)NbxO3）、ＫＬＮ（K３Li２Nb５O１５）が好ましい。
【００４４】
好適な実施形態においては、伝搬光の波長をλ、光導波路の厚さをＴｓｕｂとしたときに、Ｔｓｕｂ／λを０．６以上、１０以下とする。この条件を満足すれば、伝搬光が光導波路伝搬するので、分解能の高い回折光を得ることができる。
【００４５】
支持基体の具体的材質は特に限定されず，ニオブ酸リチウム、タンタル酸リチウム、石英、水晶、石英ガラスなどのガラスであってよい。しかし、光源の熱が周期分極反転部に伝導することを抑制するために、放熱特性のよい支持基板を使用することができる。この場合には、アルミナ、窒化アルミニウム、炭化珪素、Ｓｉなどを例示することができる。
【００４６】
支持基板と光導波路とは接合層を介して接合してよく、あるいは常温直接接合してもよい。後者の場合には、支持基板と光導波路とはクラッド層を介さずに直接接合されており、支持基板がクラッドとして機能する。
好ましくは、支持基板と光導波路との間に、光導波路の材質よりも屈折率の低い材質からなるクラッド層を設ける。また、これらの接合面はアモルファス層となり、光を散乱し伝搬損失が増大するおそれがあることから、光導波路の下部に低屈折率クラッド層を成膜した後、この低屈折率クラッド層と支持基板を直接接合することで直接接合面とすることが好ましい。
【００４７】
支持基板と光導波路とを接合する場合には、接合層の厚さは特に限定されないが、光導波路基板を薄板研磨するための接着強度を確保するためには、０．１μｍ以上とすることが好ましく、０．５μｍ以上とすることが更に好ましい。また、接合層の応力を低減するためには、接合層の厚さを３μｍ以下とすることが好ましく、１．５μｍ以下とすることが更に好ましい。
【００４８】
また、支持基板と光導波路との間には、クラッド層として機能する接合層を設けて良く、あるいは接合層に加えて更に光導波路に接するクラッド層を設けても良い。
【００４９】
好適な実施形態においては、光導波路と支持基板との間に、光導波路からの出射光を反射する反射膜を設ける。これによって、素子外に放射する出射光の光量を高くすることができる。こうした反射膜としては、金、アルミニウム、銅、銀、等の金属膜、あるいは、誘電体膜であってよい。反射膜が金属膜である場合は、金属膜は支持基板と下側クラッドの間に設け、光導波路を伝搬する光が金属膜に吸収されることを防ぐことができる。
【００５０】
反射膜として金属膜を使用する場合には、その上に形成するクラッド層が剥離しないようにするために、Ｃｒ、Ｎｉ、Ｔｉ等の金属層を金属膜のバッファ層として形成することができる。また、誘電体膜の材質は、ＴｉＯ２、Ｓｉ３Ｎ４、Ｔａ２Ｏ５、ＳｉＯ２、ＭｇＦ、ＣａＦなどからなる単層膜、あるいは多層膜である。
【００５１】
リッジ型光導波路は、例えば外周刃による切削加工やレーザアブレーション加工することによって物理的に加工し、成形することによって得られる。あるいは、リッジ型光導波路も、ドライエッチングによって形成することができる。
【００５２】
下側クラッド層、上側クラッド層、側面クラッドの材質は、光導波路を構成する単結晶よりも屈折率の小さい材料であればよく、接着層であってもよい。上側クラッド層は、空気であってもよく、この場合は、上側クラッド層がない場合と等しい。また、各クラッド層の材質は、酸化シリコン、弗化マグネシウム、弗化カルシウム、窒化珪素、アルミナ、五酸化タンタルを例示できる。
【００５３】
光源としては、ＧａＮ、ＧａＡｓ、ＩｎＰを主たる混晶材料により構成される半導体レーザが好適である。また、一次元状に配列したレーザアレイ等の光源も実現可能である。スーパールミネッセンスダイオードや半導体光アンプ（ＳＯＡ）であってもよい。
【００５４】
周期分極反転部は、好ましくは電圧印加法によって形成できる。電圧印加方法は特に限定されない。例えば不活性雰囲気中に基板を設置して電圧を印加してもよく、絶縁性液体中に基板を設置して電圧を印加してもよい。電圧を印加する際、電圧印加プローブピンを用いる場合、ピンの電極に対する接触位置は、真ん中である方が望ましい。
【００５５】
周期分極反転部を形成する際の電圧はパルス電圧であることが好ましく、直流バイアス電圧を更に印加してもよい。パルス電圧の好ましい条件は以下のとおりである。
パルス電圧：2.0kV/mm〜8.0kV/mm
パルス幅：0.1ms〜10ms                     
直流バイアス電圧：1.0kV/mm〜5.0kV/mm
【００５６】
周期分極反転部の周期は、伝搬光の波長および目的とする放射角度によって適宜決定できる。好適な実施形態においては、伝搬光の波長が８００ｎｍ〜１μｍのときに、周期分極反転部の周期を０．１〜２μｍで変化させることができ、これによって放射角度を−９０〜９０°の範囲で適宜調節できる。
尚、放射角度は、図４に示すθａであり、光導波路の表面の法線方向を基準として、出射側の放射角度を正としている。
【００５７】
以上は、回折次数が一次の場合であるが、前述したように高次の回折光を利用できる。図１４は、一次から四次までの回折光における分極反転周期と放射角度の計算値を示す。図１４から、二次以上の回折光を使用することにより、一次回折光を利用した場合と放射角度を変化させることができる。また、分極反転周期を大きくしても、一次回折光を利用した場合と同じ放射角度がえられる。これにより分極反転のパターニングプロセスにおいて、ステッパーや電子ビーム露光機などの高価な装置を使用せずとも、マスクアライナーでパターニングが可能となり安価な光スキャナー素子を実現することができる。
【００５８】
さらに、次数の異なる複数種類の回折光を組み合わせて使用することにより、広範囲の放射角度を実現することができる。例えば、図１５に例示するように、分極反転周期１μｍから２μｍの分極反転部を形成するだけで、＋９０°から＋６０°は一次回折光、＋６０°から＋３０°は二次回折光、＋３０°から０°は三次回折光、０°から−９０°は四次回折光とすることにより、少ない分極反転部で広角な可変光偏向素子を構成することが可能となり、小型化、高角度分解能化、低コスト化を実現することが可能となる。
【００５９】
本発明の光走査素子を用いて被測定面を走査することができる。すなわち、光走査素子から出射した出射光を被測定面に照射し、被測定面からの反射光を用いて被測定面に関するデータを得ることができる。こうしたデータとしては、被測定面の位置が挙げられる。
【００６０】
好適な実施形態においては、光走査素子を光走査素子の長手方向に向かって移動させながら被測定面を走査する。この実施形態について更に述べる。
【００６１】
図３に示したように、素子からの出射光の拡がり角度は、導波路伝搬方向（素子の長手方向）Ｌに向かって狭く、分極反転面に平行かつ光導波路の上面に平行な方向Ｗに向かって広くなる。素子の長手方向に見ると、各周期分極反転部から、相異なる放射角度θで出射光が放射される。
このため自動車の自動運転用３次元レーザースキャナとして使用する場合に、図７を参照して後述するように、素子の長手方向Ｌを水平方向に合わせ、方向Ｗを垂直方向に合わせることによって、垂直方向のスキャニングをなくすことができるので受光素子数を減らすことができ、安価な装置構成とすることができる。
【００６２】
例えば、図５に示すシステムは、受光素子分割方式を示す。
半導体レーザー４１からの出射光をレンズ２２で集光し、被測定面２３に投射する。そして、被測定面からの反射光をレンズ２４によって受光素子アレイ２５に投射する。ここで、受光素子アレイ２５は、被測定面の情報を高分解能に検知するために、水平方向Ｘおよび垂直方向Ｙに向かって多数配列されたフォトダイオードからなる。この方式では、ポリゴンミラーやＭＥＭＳミラーなどの高精度ミラーや複数のレーザーを使用する光走査素子を使用しないことから比較的安価なシステムとすることができる。受光素子アレイは光走査素子や複数のレーザーを使用するシステムよりコストを低くすることができる。しかし、被測定面の水平方向Ｘと垂直方向Ｙとに合わせてそれぞれ多数のフォトダイオードを設置する必要がある。しかも、一カ所の素子から出射光を投射しているので、各受光素子に対応する光強度が低く、信号／雑音比が低くなるというデメリットもある。
【００６３】
図６は、レーザスキャナを利用した光走査システムを示す。
本例では、レーザ素子２１ＡをポリゴンミラーによってＸ、Ｙ方向に走査し、光をレンズ２２によって集光して被測定面２３に照射する。ここで、被測定面２３をＸ方向およびＹ方向に向かって順次走査する。そして、被測定面からの反射光をレンズ２４で集光し、受光素子２５Ａで受光する。しかし、この方法では、レーザー光をＸ方向およびＹ方向の両方を走査する機構が必要である。
【００６４】
図７においては、本発明の光走査素子１、１Ａを用いる。ここで、本発明の素子からの出射光は、素子の長手方向Ｌと垂直な方向Ｗに向かって広がる性質を持つ。このため、素子の長手方向Ｌを水平方向Ｘに一致させると、素子からの出射光は、垂直方向Ｙに向かって広がることになる。この出射光をレンズ２２を通して被測定面２３に投射すると、被測定面２３のうち垂直方向に延びた領域２３ａに向かって投射される。この領域２３ａからの反射光をレンズ２４で集光し、受光素子アレイ２５Ｂによって受光する。
【００６５】
ここで、本発明の素子を用いると、被測定面のうち細長い領域２３ａごとに出射光を投射し、反射光を一列の受光素子アレイ２５Ｂによって測定できる。このため、素子１、１Ａを、素子の長手方向Ｌに向かって移動させながら被測定面の全体を順次スキャンでき、しかも被測定面の全体を走査して情報を得ることができる。この結果、従来よりも走査にかかる時間とコストを低減でき、かつ受光素子アレイのコストを著しく低減することができる。
この場合、受光素子は、図５に示すようにＸ方向とＹ方向に２次元配列したフォトダイオード、あるいはＣＭＯＳカメラやＣＣＤであってもよい。高次の回折光を使用する場合は、１つの分極反転部から複数の回折光が出射され、１次元配列の受光素子ではどの方角からの反射光かを分離することが難しいが、２次元配列の受光素子を使用する場合には方角と受光素子の位置関係を固定することができるので信号処理が簡易とすることができる。
【００６６】
なお、本発明の光走査素子から発生するビームはＹ方向に広角に広がるので、図１３に示すように、光走査素子１（１Ａ）からの出射光を集光するレンズを設けることなしに、被測定面を走査することが可能である。
この場合も、図７と同様に、受光素子はＸ方向とＹ方向に２次元配列したフォトダイオード、あるいはＣＭＯＳカメラやＣＣＤであってよい。
【００６７】
半導体レーザを利用した測距方法について更に補足する。
本方法では、レーザ光を照射して障害物からの反射光を受光素子にて検出して照射後の伝搬時間を計測することによって、障害物までの距離を測定する。一般的に、タイム・オフ・フライト（ＴＯＦ）法と呼ばれる。
【００６８】
本発明の光走査素子を用いて３次元的な空間での測距を行う場合、素子からの出射光の拡がり角度は、導波路の形状や導波路のコアとクラッドの材料選定により導波路幅Ｗ方向で５°から４０°に拡大することができ、素子の長手方向Ｌに向かって１°から１０°で変化させることができる。素子の長手方向には、導波路の形状や回折格子の周期のバラツキを小さくすることにより１°以下に抑えることも可能である。この特性を利用し、図７に示すように垂直方向Ｙのみフォトダイオードアレイを使用する測距システムを構築することが可能となる。これによって、従来の分割型受光方式の課題である測定距離を長くすることが可能であり、同時に低コストのシステムを実現できる。
【００６９】
好適な実施形態においては、図１０（ａ）に示すように、支持基板２上に下側バッファ層３を介して単結晶層１０が形成されている。単結晶層１０には例えば一対のリッジ溝３０が形成されており、リッジ溝の間にリッジ型光導波路コア１４が形成されている。周期分極反転部は、光導波路コアの支持基板側に設けることができ、あるいは支持基板とは反対側に設けることができる。３１は薄肉部であり、３２は延在部である。本例では上側クラッド層がなく、単結晶層１０上が空気に面している。クラッド層３と支持基板２との間に接着層を設けることもできる。
【００７０】
また、図１０（ｂ）に示す素子では、単結晶層１０上に更に上側クラッド層５０が形成されている。
【００７１】
また、図１０（ｃ）に示すように、支持基板２上に下側クラッド層３を介して単結晶層１０が形成されている。単結晶層１０には例えば一対のリッジ溝３０が形成されており、リッジ溝の間にリッジ型光導波路コア１４が形成されている。本例ではリッジ溝が支持基板側に設けられている。３１は薄肉部であり、３２は延在部である。
【００７２】
好適な実施形態においては、光導波路が、光学材料からなるコアからなり、コアの周りをクラッドが包囲している。このコアの横断面（光の伝搬方向と垂直な方向の断面）形状は凸図形となるようにする。
【００７３】
凸図形とは、コアの横断面の外側輪郭線の任意の二点を結ぶ線分が、コアの横断面の外側輪郭線の内側に位置することを意味する。凸図形は、一般的な幾何学用語である。このような図形としては、三角形、四角形、六角形、八角形などの多角形、円形、楕円形などを例示できる。四角形としては、特に、上辺と下辺と一対の側面を有する四角形が好ましく、台形が特に好ましい。
【００７４】
たとえば図１１（ａ）に示すように、支持基板２上に下側クラッド層３を介して、単結晶からなる光導波路コア３７が形成されている。コア３７の横断面形状は台形であり、上面３７ａが下面３７ｂよりも狭い。そして、コア３７を被覆するようにクラッド層３６が形成されている。なお、クラッド層３６と支持基板２との間に接着層を形成することもできる。
【００７５】
図１１（ｂ）に示す素子では、支持基板２上にクラッド層３９が設けられており、クラッド層３９内に、単結晶よりなる光導波路コア３７が埋設されている。クラッド層３９は、光導波路コアの上面を被覆する上面被覆部３９ｂ、光導波路の側面を被覆する側面被覆部３９ｃおよび光導波路と支持基板との間に位置する底面被覆部３９ａを有する。
【００７６】
図１１（ｃ）に示す素子では、支持基板２上にクラッド層３９が設けられており、クラッド層３９内に、単結晶よりなる光導波路コア３７Ａが埋設されている。クラッド層３９は、光導波路コアの上面を被覆する上面被覆部３９ｂ、コアの側面を被覆する側面被覆部３９ｃおよびコアと支持基板との間にある底面被覆部３９ａを有する。
【００７７】
また、図１２（ａ）に示す素子では、支持基板２上に下側クラッド層３を介して、単結晶よりなる光導波路コア３７が形成されている。光導波路コア３７の側面および上面３７ａには、上側クラッド層３６が形成され、光導波路コア３７を被覆している。上側クラッド層３６は、光導波路コア３７の側面を被覆する側面被覆部３６ｂおよび上面を被覆する上面被覆部３６ａを有する。
【００７８】
また、図１２（ｂ）に示す素子では、光学材料よりなる光導波路コア３７Ａが形成されている。光導波路３７Ａの横断面形状は台形であり、下面が上面よりも狭い。上側クラッド層３６は、光導波路コア３７Ａの側面を被覆する側面被覆部３６ｂおよび上面を被覆する上面被覆部３６ａを有する。
【実施例】
【００７９】
（実験１）
図２、図１０（ｂ）に示すような光走査素子１Ａを作製した。
具体的には、ＭｇＯドープの５°オフｙ板ニオブ酸リチウム（ＬＮ）単結晶からなるウエハに、周期３００ｎｍ、４００ｎｍ、５００ｎｍ、８００ｎｍの串歯状の電極パターンを形成し、結晶軸ｃ軸方向に電圧印加することにより、周期分極反転部１６Ａ〜１６Ｄを形成した。分極反転部の深さは、光導波路部において、深さ５μｍ形成された。次に、分極反転形成面に、ＳｉＯ２からなるクラッド層をスパッタリングにて厚さ５０００オングストローム成膜した。さらに、ＳｉＯ２形成面にレジストを塗布した後に、ダイシングにて＃６０００番、幅５０μｍのレジンブレードにて、深さ１００μｍのリッジ溝を２本加工し、幅５μｍのリッジ型光導波路１４を形成した。【００８０】
その後、さらにＳｉＯ２膜５０をスパッタリングし、電極としてＴｉ、Ｐｔ、Ａｕをそれぞれ２００、１００および５０００オングストローム成膜し、最後に有機溶剤にてレジストを剥離してリッジ導波路の側面に電極を形成した。【００８１】
最後に、ダイシングによりブロック切断し、ブロック毎に導波路の両端面を研磨し入力光となる波長９００ｎｍの無反射コートを成膜し、チップ切断した。【００８２】
シリコン基板上に波長９００ｎｍの半導体レーザをＡｕＳｎはんだにて固定した後に、光走査素子チップを、レーザ光の光軸が光導波路の光軸とあうように調芯してＡｕＳｎはんだに固定し、レーザモジュールを作製した。各分極反転部に形成した電極から外部電源回路に接続するために、ボンディングワイヤにより導通をとり、それぞれの電極に電圧を印加し、光導波路からの放射角度を確認した。入力した電圧は１０Ｖとした。【００８３】
この結果、周期分極反転部１６Ａからは放射角度−３３°、周期分極反転部１６Ｂからは放射角度−１．９°、周期分極反転部１６Ｃからは放射角度１５°、周期分極反転部１６Ｄからは放射角度４７°で、素子外部に光を取り出すことができた。また、周期分極反転部への印加電圧を切り換えることによって、レーザ光をスキャニングできることを確認した。また、素子外部に放射するレーザ光の拡がり角度は、光導波路の幅方向には４０°、素子の長手方向には３°であった。【００８４】
（実験２）
実験１と同様にして光走査素子を作製した。
この際、周期分極反転部における周期を図８に示すように変更した。伝搬光の波長は０．９μｍとした。周期分極反転部の周期と放射角度との関係を図８に示す。【００８５】
（実験３）
実験１と同様にして光走査素子を作製した。
この際、周期分極反転部における周期を図９に示すように変更した。伝搬光の波長は１．５５μｍとした。周期分極反転部の周期と放射角度との関係を図９に示す。【００８６】
（実験４）
図２、図１０（ｂ）に示すような光走査素子１Ａを作製した。
具体的には、MgOドープの５°オフｙ板ニオブ酸リチウム（ＬＮ）単結晶からなるウエハに、周期１．２μｍから２μｍまでの串歯状の電極パターンを０．１μｍ間隔で９個形成し、後の工程は実験１と同様に作製した。【００８７】
シリコン基板上に波長９００ｎｍの半導体レーザをＡｕＳｎはんだにて固定した後に、光走査素子チップを、レーザ光の光軸が光導波路の光軸とあうように調芯してＡｕＳｎはんだに固定し、レーザモジュールを作製した。各分極反転部に形成した電極から外部電源回路に接続するために、ボンディングワイヤにより導通をとり、それぞれの電極に電圧を印加し、光導波路からの放射角度を確認した。入力した電圧は１０Ｖとした。【００８８】
ここで、周期の短い周期分極反転部から順に周期分極反転部１６Ａ、１６B、１６C、１６D、１６E、１６F、１６G、１６H、１６Iとした。この結果、各周期分極反転部から以下の各回折光が放射された。【００８９】
周期分極反転部    回折光            放射角度
１６B            一次回折光        ８０°
１６A              一次回折光        ７１°
１６Ｉ              二次回折光      ５７．５°
１６H              二次回折光      ５４．２°
１６G              二次回折光      ５０°
１６F              二次回折光      ４７°
１６E              二次回折光      ４３．６°
１６D              二次回折光      ３９．７°
１６C              二次回折光      ３５．５°
１６B              二次回折光      ３１°
１６H              三次回折光      ２９．３°
１６G              三次回折光      ２５．８°
１６F              三次回折光      ２２°
１６E              三次回折光      １８°
１６D              三次回折光      １３．３°
１６C              三次回折光        ８．２°
１６Ｂ              三次回折光        ２．５°
１６F              四次回折光        ０．８°
１６E              四次回折光        −４．３°
１６D              四次回折光        −１０．２°
１６Ｃ              四次回折光      −１７°
１６Ｂ              四次回折光      −２５．３°
１６Ａ              四次回折光      −３５．８°
【００９０】
また、また、各周期分極反転部への印加電圧をそれぞれ切り換えることによって、レーザ光をスキャニングできることを確認した。また、素子外部に放射するレーザ光の拡がり角度は、周期分極反転ピッチの精度を±０．５ｎｍに制御することにより、光導波路の幅方向には４０°、素子の長手方向には０．５°であった。【００９１】
実験２〜４にも示すように、周期分極反転部の周期を変化させることで、光導波路からの放射角度を０〜９０°の範囲で変化させることができるので、本発明は極めて有用である。
【図１】
0006793194.tif 000003
【図２】
0006793194.tif 000004
【図３】
0006793194.tif 000005
【図４】
0006793194.tif 000006
【図５】
0006793194.tif 000007
【図６】
0006793194.tif 000008
【図７】
0006793194.tif 000009
【図８】
0006793194.tif 000010
【図９】
0006793194.tif 000011
【図１０】
0006793194.tif 000012
【図１１】
0006793194.tif 000013
【図１２】
0006793194.tif 000014
【図１３】
0006793194.tif 000015
【図１４】
0006793194.tif 000016
【図１５】
0006793194.tif 000017